(57)【要約】【課題】防火性を向上できる建具を提供すること。【解決手段】引き違い窓１は、窓枠２と外障子３および内障子４とを備える。外障子３は、上框、下框３２、左右の縦框および面材を備える。下框３２は、室外見付け面部３６と、室外見付け面部３６に連続した見込み面部３８と、見込み面部３８に連続した室内見付け面部３７と、見込み面部３８に連続した縦仕切り面部３２６と、縦仕切り面部３２６および室内見付け面部３７に連続した横仕切り面部３２７とを有する。室外見付け面部３６、見込み面部３８および縦仕切り面部３２６によって戸車５を設置可能な溝部５１が形成される。室内見付け面部３７には、補助錠６を設置可能な切欠開口３７１が形成される。【選択図】図２
2020090869.tif 000002
【特許請求の範囲】
【請求項１】
枠体と、前記枠体内に開閉移動可能に配置された障子とを備え、
前記障子は、上框、下框および左右の縦框を備えた框体と、前記框体内に配置された面材とを備え、
前記上框、前記下框および前記左右の縦框のうちの少なくとも一つの形材は、室外見付け面部と、前記室外見付け面部に連続した見込み面部と、前記見込み面部に連続した室内見付け面部と、前記室外見付け面部および前記室内見付け面部の間において前記見込み面部に連続した縦仕切り面部と、前記縦仕切り面部および前記室内見付け面部に連続した横仕切り面部とを有し、
前記室外見付け面部、前記見込み面部および前記縦仕切り面部によって第一部品を設置可能な溝部が形成され、
前記室内見付け面部には、前記見込み面部および前記横仕切り面部の間において第二部品を設置可能な開口が形成される
ことを特徴とする建具。
【請求項２】
請求項１に記載の建具において、
前記形材は前記下框によって形成され、
前記下框における前記見込み面部には前記溝部に連通する排水口が形成されている
ことを特徴とする建具。
【請求項３】
請求項２に記載の建具において、
前記室外見付け面部の室内面および前記縦仕切り面部の室外面のうちの少なくとも一方には、熱膨張耐火材が設けられている
ことを特徴とする建具。
【請求項４】
請求項２または請求項３に記載の建具において、
前記下框は、前記見込み面部よりも下方の位置において前記室外見付け面部および前記縦仕切り面部に連続した下見込み面部を有し、
前記下見込み面部には、前記第一部品を配置可能な開口が形成されている
ことを特徴とする建具。
【請求項５】
請求項４に記載の建具において、
前記縦仕切り面部の室外面のうち前記下見込み面部よりも下方に位置する部分には熱膨張耐火材が設けられている
ことを特徴とする建具。
【発明の詳細な説明】
【技術分野】
【０００１】
本発明は、戸車、補助錠などの部品が取り付けられる形材を備えた建具に関する。
【背景技術】
【０００２】
従来、上枠、下枠および左右の縦枠を枠組みした枠体と、上框、下框、左右の縦框およびガラスパネルを框組みした内障子および外障子とを備えた引違いサッシが建具として知られている（特許文献１参照）。下框は室外見付け面部、室内見付け面部および見込み面部を有しており、室外見付け面部、室内見付け面部および見込み面部によって下方に開口した溝部が形成され、この溝部に戸車が設置されている。また、外障子における下框の室内見付け面部には取付孔が形成され、内障子と係合可能なサブロック（補助錠）が取付孔に取り付けられている。
【先行技術文献】
【特許文献】
【０００３】
【特許文献１】特開２００４−１６９４７８号公報
【発明の概要】
【発明が解決しようとする課題】
【０００４】
ところで、特許文献１に記載の引違いサッシでは、火災時に下框の溝部から取付孔までつながって室内外で開口する貫通孔が形成され、この貫通孔を通じて火炎が室内外に拡がるおそれがある。また、例えば下框の見込み面部に排水口などが形成されている場合には、この排水口から溝部を通じて取付孔までつながる貫通孔が形成され、火炎が室内外に拡がるおそれもある。
【０００５】
本発明は、防火性を向上できる建具を提供することにある。
【課題を解決するための手段】
【０００６】
本発明の建具は、枠体と、前記枠体内に開閉移動可能に配置された障子とを備え、前記障子は、上框、下框および左右の縦框を備えた框体と、前記框体内に配置された面材とを備え、前記上框、前記下框および前記左右の縦框のうちの少なくとも一つの形材は、室外見付け面部と、前記室外見付け面部に連続した見込み面部と、前記見込み面部に連続した室内見付け面部と、前記室外見付け面部および前記室内見付け面部の間において前記見込み面部に連続した縦仕切り面部と、前記縦仕切り面部および前記室内見付け面部に連続した横仕切り面部とを有し、前記室外見付け面部、前記見込み面部および前記縦仕切り面部によって第一部品を設置可能な溝部が形成され、前記室内見付け面部には、前記見込み面部および前記横仕切り面部の間において第二部品を設置可能な開口が形成されることを特徴とする。
【発明の効果】
【０００７】
本発明によれば、防火性を向上できる建具を提供することができる。
【図面の簡単な説明】
【０００８】
【図１】本発明の実施形態に係る引き違い窓を示す内観姿図。
【図２】前記実施形態に係る引き違い窓の要部を示す縦断面図。
【図３】前記実施形態に係る引き違い窓の下框の端部を上方から示す斜視図。
【図４】前記実施形態に係る引き違い窓の下框の端部を下方から示す斜視図。
【発明を実施するための形態】
【０００９】
［本実施形態の構成］
以下、本発明の実施形態を図面に基づいて説明する。
図１において、本実施形態に係る建具である引き違い窓１は、建物躯体の開口部に設けられる窓枠２（枠体）と、窓枠２内に引き違い可能に配置された外障子３および内障子４とを備えている。
以下の説明において、引き違い窓１の左右方向をＸ軸方向とし、引き違い窓１の上下方向をＹ軸方向とし、引き違い窓１の見込み方向（室内外方向）をＺ軸方向とする。Ｘ，Ｙ，Ｚ軸方向は互いに直交する。
【００１０】
窓枠２は、アルミ押出形材によって形成された上枠２１、下枠２２および左右の縦枠２３を枠組みして構成されている。外障子３および内障子４は、アルミ押出形材によって形成された上框３１，４１、下框３２，４２および左右の縦框３３，４３を備えた框体３４，４４と、框体３４，４４内に配置された面材である複層のガラスパネル３５，４５とを備えている。窓枠２、外障子３および内障子４の各形材には、火災時に熱膨張して室内外間を遮断する熱膨張耐火材が適宜設けられている。上枠２１および下枠２２には、Ｘ軸方向に沿ったレール２５が室外側および室内側にそれぞれ形成されており、上框３１および下框３２は上枠２１および下枠２２の各レール２５に沿ってＸ軸方向にスライド移動可能に設置されている。ガラスパネル３５，４５は、図２に示すように、網入りガラス等の防火ガラスで構成された室外ガラスと、ＬＯＷ−Ｅガラス等で構成された室内ガラスとをスペーサーを介して組み立てられている。
【００１１】
図２では主に下框３２，４２（形材）の縦断面を示しており、図３（Ａ）および図４（Ａ）では外障子３の下框３２におけるＸ軸方向における端部を示しており、図３（Ｂ）および図４（Ｂ）では後述する戸車５および補助錠６を図示省略した下框３２の端部を示している。
図２〜図４に示すように、下框３２は、室外見付け面部３６と、室外見付け面部３６に連続した見込み面部３８と、見込み面部３８に連続した室内見付け面部３７とを有している。
室外見付け面部３６および室内見付け面部３７は、見込み面部３８よりも上方に延出してガラスパネル３５を保持するパネル保持溝３２１を形成している。パネル保持溝３２１には、室外片部および見込み片部を有して断面略Ｌ字状に形成された金属保持枠３２２が配置されており、金属保持枠３２２はガスケット３２３を介してガラスパネル３５の下縁部を保持している。また、金属保持枠３２２の見込み片部には、パネル保持溝３２１においてガラスパネル３５との間を熱膨張して塞ぐ熱膨張耐火材１１が設けられている。また、室外見付け面部３６の室内面３６１には熱膨張耐火材１２が室内側に向かって熱膨張する向きに設けられている。これにより、補助錠６が配置される空間を広くするために縦仕切り面部３２６を室外側に寄せて配置すると、縦仕切り面部３２６と戸車５との間隔が狭い構成となり、縦仕切り面部３２６に対する熱膨張耐火材１２の設置に手間がかかるが、縦仕切り面部３２６に熱膨張耐火材１２を設けなくてもよいので、このような手間がかかることがない。室内見付け面部３７のＸ軸方向における両端部には切欠加工が施されており、この切欠加工によって第二部品としての補助錠６を配置可能な開口である切欠開口３７１が形成されている。
見込み面部３８は、室外見込み面部３８１と、室外見込み面部３８１から上方に立ち上げられた立上げ面部３８２と、立上げ面部３８２の上端に連続した室内見込み面部３８３とを有している。室外見込み面部３８１は室内見込み面部３８３よりも低い位置に配置されており、パネル保持溝３２１から排水するための排水口３８５が後述する溝部５１に連通して形成されている。更に、室外見込み面部３８１には、縦框３３がネジ止めされるビスホール部３８１Ａが上方に突出して形成されている。前述した金属保持枠３２２は、室内見込み面部３８３およびビスホール部３８１Ａに載せられており、ビスホール部３８１Ａが当接した部分で室外見込み面部３８１にネジ止めされている。なお、金属保持枠３２２は、一対の室外片部および見込み片部を有して断面コ字形状に形成されていてもよい。
【００１２】
また、下框３２は、室外見付け面部３６に連続していると共に室外見込み面部３８１に対して下方に配置された下見込み面部３２５と、下見込み面部３２５および見込み面部３８に連続したＹ軸方向に沿った縦仕切り面部３２６と、縦仕切り面部３２６の下端および室内見付け面部３７の下端に連続したＺ軸方向に沿った横仕切り面部３２７とを有している。横仕切り面部３２７は室内見込み面部３８３に対して下方に配置されている。
下見込み面部３２５のＺ軸方向における中間部分は上方に向かって凸状に形成されている。下見込み面部３２５のＸ軸方向における両端部には切欠加工が施されており、この切欠加工によって第一部品としての戸車５を配置可能な開口である切欠開口３２８が形成されている。
縦仕切り面部３２６は、室外見込み面部３８１および立上げ面部３８２の連続部分に連続している。縦仕切り面部３２６の下部３２６Ａには熱膨張耐火材１３が室外側に向かって熱膨張する向きに設けられている。熱膨張耐火材１３は下見込み面部３２５よりも下方において前記開口から室外側に熱膨張する配置となっている。
【００１３】
以上の下框３２では、室外見付け面部３６、室外見込み面部３８１および縦仕切り面部３２６によって溝部５１が形成され、この溝部５１は下見込み面部３２５の切欠開口３２８で下方に開口している。溝部５１には前述した戸車５が設置されている。
室内見付け面部３７の切欠開口３７１は戸車５に対してＺ軸方向における室内側に配置されている。この切欠開口３７１には補助錠６が挿入され、補助錠６は、縦仕切り面部３２６にネジ止めされる。これにより、補助錠６は切欠開口３７１に配置されつつ室内見付け面部３７、室内見込み面部３８３、縦仕切り面部３２６および横仕切り面部３２７によって形成される空間に設置される。
また、下框３２は、所定厚さ寸法を有して形成されるが、室外見付け面部３６のうち室外見込み面部３８１および下見込み面部３２５の間に位置する部分における厚さ寸法と、室内見付け面部３７のうち室内見込み面部３８３および横仕切り面部３２７の間に位置する部分における厚さ寸法と、下見込み面部３２５の厚さ寸法とは、前記所定厚さ寸法よりも大きい厚さ寸法とされており、例えば所定厚さ寸法に対して１．５倍程度の厚さ寸法とされていてもよい。このように特定箇所の厚さ寸法を大きくすることで下框３２の強度を高められる。
なお、内障子４の下框４２は、図２に示すように、前述した下框３２と比べて、室内見付け面部３７に切欠開口３７１が形成されておらず、補助錠６も設置されていない点で構成が相違し、そのほかの構成は同じである。
【００１４】
以上の引き違い窓１では、火災時には各熱膨張耐火材１１〜１３が熱膨張し室内外を遮断する。熱膨張耐火材１２は室内側に向かって熱膨張し、排水口３８５および切欠開口３２８を塞ぎつつ溝部５１を埋める。熱膨張耐火材１３は室外側に向かって熱膨張し、下見込み面部３２５の下面側において切欠開口３２８を塞ぎつつ室外見付け面部３６および縦仕切り面部３２６の間を埋める。ここで、下框３２の溝部５１は縦仕切り面部３２６および横仕切り面部３２７によって室内見付け面部３７側と仕切られているので、溝部５１と室内見付け面部３７の切欠開口３７１とがつながって室内外の貫通孔が形成されることはない。
【００１５】
[変形例]
前記実施形態では、下框３２は下見込み面部３２５を有しているが、下見込み面部３２５の構成を省略してもよい。
前記実施形態では、室外見付け面部３６の室内面３６１に熱膨張耐火材１２が設けられているが、これに代えてまたは加えて、縦仕切り面部３２６の室外面に熱膨張耐火材１２が室外側に向かって熱膨張する向きに設けられていてもよい。
また、前述した熱膨張耐火材１２や、縦仕切り面部３２６の下部に設けられる熱膨張耐火材１３がなくても十分な防火性能を発揮可能な場合には、熱膨張耐火材１２，１３の構成を省略してもよい。
前記実施形態では、下框３２の見込み面部３８に排水口３８５が形成されているが、これがなくても十分な排水性を得られる場合には、この構成を省略してもよい。
前記実施形態では、引き違い窓１を建具として説明したが、例えば片引き窓や、第一部品や第二部品として開閉操作ハンドルが形材に設置される開き系窓であってもよい。
【００１６】
[本発明のまとめ]
本発明の建具は、枠体と、前記枠体内に開閉移動可能に配置された障子とを備え、前記障子は、上框、下框および左右の縦框を備えた框体と、前記框体内に配置された面材とを備え、前記上框、前記下框および前記左右の縦框のうちの少なくとも一つの形材は、室外見付け面部と、前記室外見付け面部に連続した見込み面部と、前記見込み面部に連続した室内見付け面部と、前記室外見付け面部および前記室内見付け面部の間において前記見込み面部に連続した縦仕切り面部と、前記縦仕切り面部および前記室内見付け面部に連続した横仕切り面部とを有し、前記室外見付け面部、前記見込み面部および前記縦仕切り面部によって第一部品を設置可能な溝部が形成され、前記室内見付け面部には、前記見込み面部および前記横仕切り面部の間において第二部品を設置可能な開口が形成されることを特徴とする。
本発明の建具によれば、室内側または室外側における火災時に第一部品や第二部品が加熱されて変形、溶融等が生じても、第一部品が設置される空間と第二部品が設置される空間とは縦仕切り面部および横仕切り面部によって室内外に仕切られているので、下框の溝部および室内見付け面部の開口がつながる貫通孔が形成されて出火することを抑制でき、防火性を向上できる。
【００１７】
本発明の建具では、前記形材は前記下框によって形成され、前記下框における前記見込み面部には前記溝部に連通する排水口が形成されていてもよい。
このような構成によれば、第一部品としての戸車を下框の溝部に設置できると共に第二部品としての補助錠を室内見付け面部の開口に設置できる。更に、例えば室外火災時に排水口から溝部に火炎が入り込んでも、この火炎を主に縦仕切り面部によって遮断することで当該火炎が室内側に入り込むことを抑制できる。
また、下框には面材の鉛直荷重を受けられる程度の強度が必要とされるが、本発明では室外見付け面部および室内見付け面部のほかにも縦仕切り面部を備えているので、金属補強材などを下框に設けなくても必要とされる強度を得られる。
【００１８】
本発明の建具では、前記室外見付け面部の室内面および前記縦仕切り面部の室外面のうちの少なくとも一方には、熱膨張耐火材が設けられていてもよい。
このような構成によれば、火災時に熱膨張耐火材が熱膨張することで下框の溝部を埋めつつ排水口を塞ぐことができる。
また、室外見付け面部、見込み面部および縦仕切り面部によって形成される溝部を熱膨張耐火材によって埋められればよいので、例えば見込み面部のうち縦仕切り面部よりも室内側の部分や横仕切り面部に熱膨張耐火材を設ける必要がなく、コスト削減を図ることができる。
【００１９】
本発明の建具では、前記下框は、前記見込み面部よりも下方の位置において前記室外見付け面部および前記縦仕切り面部に連続した下見込み面部を有し、前記下見込み面部には、前記第一部品を配置可能な開口が形成されていてもよい。
このような構成によれば、下框が室外見付け面部および縦仕切り面部に連続した下見込み面部を更に有することで下框の強度を高めることができる。
【００２０】
本発明の建具では、前記縦仕切り面部の室外面のうち前記下見込み面部よりも下方に位置する部分には熱膨張耐火材が設けられていてもよい。
このような構成によれば、例えば縦仕切り面部や横仕切り面部を有していない下框の室内見付け面部に熱膨張耐火材を設け、火災時に熱膨張耐火材が熱膨張して室内見付け面部および室外見付け面部の間を塞ぐ場合と比べて、室内見付け面部よりも室外側に位置する縦仕切り面部に設けた熱膨張耐火材の熱膨張によって当該縦仕切り面部および室外見付け面部の間を速やかに塞ぐことができる。
【符号の説明】
【００２１】
１…引き違い窓（建具）、１１〜１３…熱膨張耐火材、２…窓枠（枠体）、３…外障子、３１…上框、３２…下框、３２５…下見込み面部、３２６…縦仕切り面部、３２７…横仕切り面部、３２８，３７１…切欠開口（開口）、３３…縦框、３４…框体、３５…ガラスパネル（面材）、３６…室外見付け面部、３６１…室内面、３７…室内見付け面部、３８…見込み面部、３８５…排水口、４…内障子、４１…上框、４２…下框、４３…縦框、４４…框体、４５…ガラスパネル、５…戸車（第一部品）、５１…溝部、６…補助錠（第二部品）。
【図１】
2020090869.tif 000003
【図２】
2020090869.tif 000004
【図３】
2020090869.tif 000005
【図４】
2020090869.tif 000006